(57)【要約】【課題】食品収納容量の低下を招くことなく、扉の荷重を貯蔵室を構成する側面壁で確実に受けることができると共に、扉を支持する組み込み部品相互間の組み立て誤差が少ない冷蔵庫を提供すること。【解決手段】冷蔵庫は、外箱２２と内箱２１との間に発泡断熱材２３を充填して箱体２０を形成し、貯蔵室３３の側面に前後方向に延びるレール４０を設け、レール４０を支持する補強材２０ｂを箱体２０の発泡断熱材２３中に埋設して設置し、扉３３の後面から支持腕５０を後方に突設し、支持腕５０の後部に摺動子６１をレール摺動部４１内で前後移動可能に設けて扉３３を引出し可能とし、上面開口より狭い底壁面を有する樹脂製の食品収納ケース２６のフランジ部２６ｂを支持腕５０で支持している。この冷蔵庫は、支持腕５０の下面を支持する腕支持部４６をレール４０の前部に設け、箱体２０の一部を食品収納ケース側に突出して腕支持部４６の下面を支持する段部７０としている。【選択図】図５
2007071498.tif 000002
【特許請求の範囲】
【請求項１】
外箱と内箱との間に発泡断熱材を充填して箱体を形成し、
前記内箱で構成する貯蔵室の側面に前後方向に延びるレールを設け、
前記レールを支持する補強材を前記箱体の発泡断熱材中に埋設して設置し、
扉の後面から支持腕を後方に突設し、
前記支持腕の後部に摺動子を前記レールの摺動部内で前後移動可能に設けて前記扉を引出自在にし、
上面開口より狭い底壁面を有する樹脂製の食品収納ケースのフランジ部を前記支持腕で支持した冷蔵庫であって、
前記支持腕の下面を支持する腕支持部を前記レールの前部に設け、
前記箱体の一部を食品収納ケース側に突出して前記腕支持部の下面を支持する段部とした
ことを特徴とする冷蔵庫。
【請求項２】
請求項１に記載の冷蔵庫において、前記腕支持部を前記レールと一体に形成したことを特徴とする冷蔵庫。
【請求項３】
請求項１に記載の冷蔵庫において、前記腕支持部を前記レールと別体に形成し、前記腕支持部を締結具を介して前記レール及び前記補強材に固定し、前記段部を形成する内箱の裏側に前記補強材を延長して前記腕支持部を支持したことを特徴とする冷蔵庫。
【請求項４】
請求項１から３の何れかに記載の冷蔵庫において、前記一対の支持腕の左右のがた付きを規制する振れ止め防止部を前記レールの前部に前記レールと一体に形成したことを特徴とする冷蔵庫。
【請求項５】
請求項４に記載の冷蔵庫において、前記振れ止め防止部と前記レールの摺動部との間に前記摺動子が上方から入る隙間を確保すると共に、前記レールの摺動部の下面前部に前記振れ止め防止部と上下に対向させたストッパを設け、前記ストッパと前記振れ止め防止部との隙間を前記摺動子より小さくしたことを特徴とする冷蔵庫。
【発明の詳細な説明】
【技術分野】
【０００１】
本発明は、冷蔵庫に係り、特に引出式扉を有する冷蔵庫に好適なものである。
【背景技術】
【０００２】
従来の引出式扉を有する冷蔵庫としては、特開２００１−９１１４８号公報（特許文献１）に示されたものがある。この特許文献１の冷蔵庫を図７及び図８を用いて、以下に説明する。図７は従来の冷蔵庫の要部断面図、図７は図７の冷蔵庫の扉を引き出した状態の一部欠載斜視図である。
【０００３】
図７及び図８において、１は複数の貯蔵室３ａ、３ｂをその内部に区画形成する箱体である。１ａは貯蔵室３ａ、３ｂの側壁を形成する側面壁であり、１ｂは複数の貯蔵室３ａと３ｂとを区画形成するための仕切り部材（仕切壁）である。２は貯蔵室３ａの開口前面を開閉可能に閉塞する引出式扉である。
【０００４】
側面壁１ａには固定式の左右一対のレール４が前後方向に設けられており、引出式扉２の後面からは左右一対の支持腕５が設けられている。支持腕５には、貯蔵室用の容器３ｃを載置する水平部５ｂと、後述するローラ５ｃを保持する垂直部５ａが設けてある。垂直部５ａには外方へ向かって回転自在にローラ５ｃが設けられており、このローラ５ｃはレール４の内側に沿って移動自在となっている。
【０００５】
貯蔵室３ａの底面を区画形成する仕切り部材１ｂの上面には、支持腕５の水平部５ｂがその上面を移動できるように固定ローラ６が設けてあり、この固定ローラ６の位置に相当する水平部５ｂには、引出式扉２の引き出し過ぎを防止するストッパ５ｅが設けてある。また、固定ローラ６の近傍には、仕切り部材１ｂと一体或いは別体の規制壁７が設けてあり、この規制壁７の外方に位置するように、且つ、規制壁７の規制により、ローラ５ｃがレール４から外れることのないように突出片８が設けられている。
【０００６】
【特許文献１】特開２００１−９１１４８号公報
【発明の開示】
【発明が解決しようとする課題】
【０００７】
上述した従来の冷蔵庫では、貯蔵室３ａを構成する底面壁である仕切り部材１ｂの上面に固定ローラ６が設けられ、支持腕５の水平部５ｂが固定ローラ６の上面を移動するので、仕切り部材１ｂの平面部に扉の荷重が垂直に加わることとなる。このため、扉に取り付けた食品収納容器内に重い食品を収納した場合や扉に大きな荷重がかかった場合などに、仕切り部材１ｂの上面が下方に撓んでしまう恐れがあった。
【０００８】
また、左右一対のレール４を側面壁１ａに設け、側面壁１ａとは別体である仕切り部材１ｂに、固定ローラ６や規制壁７を構成する複数の部品を組み込む必要があるので、複数の組み込み部品の相互位置間に製造誤差が生じる恐れがあった。この複数の組み込み部品の相互位置間に生じる製造誤差のために、複数の扉間寸法に誤差が生じる恐れがあり、該誤差により冷蔵庫外観意匠が低下する恐れがあった。
【０００９】
なお、上述した従来の冷蔵庫では、貯蔵室３ａの両側面に設けた左右一対のレール４の他に、左右一対の固定ローラ６や左右一対の規制壁７を必要とするので、冷蔵庫を構成する部品点数が多く、製造コスト上不利な構成となっていた。
【００１０】
本発明の目的は、食品収納容量の低下を招くことなく、扉の荷重が貯蔵室を構成する側面壁で確実に受けることができると共に、扉を支持する組み込み部品相互間の組み立て誤差が少ない冷蔵庫を提供することにある。
【００１１】
なお、本発明のその他の目的と有利点は以下の記述から明らかにされる。
【課題を解決するための手段】
【００１２】
前述の目的を達成するために、本発明は、外箱と内箱との間に発泡断熱材を充填して箱体を形成し、前記内箱で構成する貯蔵室の側面に前後方向に延びるレールを設け、前記レールを支持する補強材を前記箱体の発泡断熱材中に埋設して設置し、扉の後面から支持腕を後方に突設し、前記支持腕の後部に摺動子を前記レールの摺動部内で前後移動可能に設けて前記扉を引出自在にし、上面開口より狭い底壁面を有する樹脂製の食品収納ケースのフランジ部を前記支持腕で支持した冷蔵庫であって、前記支持腕の下面を支持する腕支持部を前記レールの前部に設け、前記箱体の一部を食品収納ケース側に突出して前記腕支持部の下面を支持する段部としたものである。
【００１３】
係る本発明のより好ましい具体的な構成例は次の通りである。
（１）前記腕支持部を前記レールと一体に形成したこと。
（２）前記腕支持部を前記レールと別体に形成し、前記腕支持部を締結具を介して前記レール及び前記補強材に固定し、前記段部を形成する内箱の裏側に前記補強材を延長して前記腕支持部を支持したこと。
（３）前記一対の支持腕の左右のがた付きを規制する振れ止め防止部を前記レールの前部に前記レールと一体に形成したこと。
（４）前記振れ止め防止部と前記レールの摺動部との間に前記摺動子が上方から入る隙間を確保すると共に、前記レールの摺動部の下面前部に前記振れ止め防止部と上下に対向させたストッパを設け、前記ストッパと前記振れ止め防止部との隙間を前記摺動子より小さくしたこと。
【発明の効果】
【００１４】
本発明によれば、食品収納容量の低下を招くことなく、扉の荷重が貯蔵室を構成する側面壁で確実に受けることができると共に、扉を支持する組み込み部品相互間の組み立て誤差が少ない冷蔵庫を提供することができる。
【発明を実施するための最良の形態】
【００１５】
以下、本発明の複数の実施形態について図を用いて説明する。各実施形態の図における同一符号は同一物または相当物を示す。
【００１６】
最初に、本発明の第１実施形態の冷蔵庫について、図１〜図６を用いて説明する。
【００１７】
まず、冷蔵庫の全体構成に関して図１を参照しながら説明する。図１は本発明の第１実施形態の冷蔵庫の斜視図である。
【００１８】
冷蔵庫の箱体２０は、その前面開口を開閉可能に閉塞する複数の扉３１、３２、３３、３４、３５を有している。扉３１は冷蔵室３１ａ（図４参照）の前面開口を１枚の扉で開閉可能に閉塞する片開き式扉であり、扉３２は製氷室の前面開口を１枚の扉で開閉可能に閉塞する引出式扉であり、扉３３は急冷凍室３３ａ（図４参照）の前面開口を１枚の扉で開閉可能に閉塞する引出式扉であり、扉３４は冷凍室３４ａ（図４参照）の前面開口を１枚の扉で開閉可能に閉塞する引出式扉であり、扉３５は野菜室の前面開口を１枚の扉で開閉可能に閉塞する引出式扉である。
【００１９】
そして、本発明の対象は、全ての引出式扉３２、３３、３４、３５に関するものであるが、説明の簡明化のために、以下、急冷凍室用引出式扉３３を代表として説明する。
【００２０】
次に、図２から図５を参照しながら説明する。図２は本実施形態の冷蔵庫における引出式扉３３を引き出した状態の一部欠載斜視図、図３は本実施形態の冷蔵庫におけるレール前部の斜視図、図４は図２におけるＢ−Ｂ断面図、図５は図２におけるＣ−Ｃ線断面図である。
【００２１】
冷蔵庫の箱体２０の側面壁２０ａは、図４及び図５に示すように、庫内面を形成する内箱２１と、外表面を形成する外箱２２と、内箱２１と外箱２２間に充填された発泡ウレタン等の発泡断熱材２３とにより構成されている。箱体２０を構成する上面壁、底面壁、背面壁も側面壁２０ａと同様に構成されている。なお、断熱性能を向上するために、真空断熱材を発泡断熱材２３中に埋設してもよい。
【００２２】
貯蔵室である急速冷凍室３３ａは、内箱２１及び仕切壁２４、２５により構成されている。仕切壁２４は急冷凍室３３ａと冷蔵室３１ａとを区画する仕切壁であり、仕切壁２５は急冷凍室３３ａと冷凍室３４ａとを区画する仕切壁である。
【００２３】
そして、側面壁２０ａの庫内側の両側面に、左右一対のレール４０を前後方向に延在してそれぞれ設けてある。摺動子６１を前後方向に移動可能に摺動支持するレール摺動部４１をレール４０に一体に設けている。
【００２４】
食品収納ケース２６は上面を開口した樹脂製のケースで構成されている。射出成形の成形型を上下方向に容易に抜けるようにするため、食品収納ケース２６は上面開口より狭い底壁面としており、側壁２６ａは中央側に傾斜している。また、食品収納ケース２６の側壁部２６ａの上端部から下方に延びるフランジ部２６ｂが形成されている。このフランジ部２６ｂはレール４０の上端部に載置されると共に係止されている。これよって、食品収納ケース２６はレール４０にフランジ部２６ｂを介して支持されることとなる。
【００２５】
支持腕５０は、図２に示すように、引出式扉３３の後面の上下方向中間部から、左右一対で且つ引出式扉の後方（庫内側）にそれぞれ突設している。一対の支持腕５０は、その後部に一対のレール摺動部４１内を移動可能な摺動子６１をそれぞれ設けている。これにより、支持腕５０を設けた扉３３が箱体２０に対して前後方向に引出自在と成っている。
【００２６】
腕支持部４６は、図３に示すように、レール摺動部４１から垂下する部分における前端部に位置してレール４０と一体に形成されている。腕支持部４６は、支持腕５０の摺動子６１より前方の支持腕５０の荷重を支持できるように、且つ、後述する支持腕５０の下面フランジ部５３を移動可能に摺動支持できるように構成してある。
【００２７】
腕支持部４６の摺動面４６ａは、支持腕５０の下面フランジ部５３を移動可能に摺動支持できるように、腕支持部４６と一体若しくは別体に形成されている。なお、腕支持部４６の摺動面４６ａは、下面フランジ部５３が摺動しながら移動しても、異音等が発生しない材質にて形成されるのが望ましい。
【００２８】
箱体２０を構成する側壁部２０ａの一部を食品収納ケース側に突出して段部７０が形成されている。食品収納ケース２６は上面開口より狭い底壁面としているため、食品収納ケース２６の下部周囲が広いデッドスペースになっており、このデッドスペースに段部７０が形成されることとなるため、段部７０による食品収納容積の低下を招くことはない。この段部７０は、腕支持部４６の下面を支持するように構成してある。これによって、食品収納ケース２６を含む扉３３の荷重が側面壁２０ａで確実に受けることができる。また、腕支持部４６をレール４０と同じ側壁部２０ａに支持しているので、扉を支持する組み込み部品である腕支持部４６及びレール４０相互間の組み立て誤差を少なくすることができる。
【００２９】
係止具６２は、図２及び図４に示すように、摺動子６１を支持腕５０の後部に固定するものである。摺動子６１は、支持腕５０の後部の側面から側方に突出して設けられ、レール摺動部４１内に配置されている。
【００３０】
振れ止め防止部４４は、図３に示すように、レール摺動部４１における前端部に位置してレール４０と一体に形成されている。また、レール摺動部４１上方から摺動子６１をレール摺動部４１内に着脱可能なように、振れ止め防止部４４とレール摺動部４１の前部との間にＬ１寸法の隙間を設けて設置してある。振れ止め防止部４４の寸法規制面４４ａは、振れ止め防止部４４と一体若しくは別体に形成された寸法規制面である。
【００３１】
寸法規制面４４ａは、図５に示すように、支持腕５０の垂直部５１の左右方向のがた付きを小さく規制し、引出式扉３３の開閉操作をスムーズに行うことができるように構成してある。すなわち、寸法規制面４４ａと支持腕５０の垂直面５１との間隙寸法δ１を所定の小さい寸法に設定することにより、支持腕５０の左右のがた付きを小さくし、支持腕５０を備えて扉３３の設定位置を所定寸法どおりに出来るようにしてある。換言すれば、他の扉３１、３２、３４との間の寸法を規定寸法どおりに抑えられるように、且つ、扉３３を引き出したときにも、その左右のがた付きを小さくできるように、間隙寸法δ１を所定の寸法に設定してある。なお、寸法規制面４４ａは、支持腕の垂直面５１との間で当接した場合でも、異音等の発生しない材料にて構成するのが望ましい。
【００３２】
ストッパ４５はレール摺動部４１の下面部における前端部に位置してレール４０と一体に形成されている。ストッパ４５と摺動子６１とが当接することにより、支持腕５０がレール摺動部４１の前部より外れる事の無いように構成されている。
【００３３】
また、レール摺動部４１の下面の前部に設けたストッパ４５と振れ止め防止部４４とは上下に対向させて設けている。ストッパ４５と振れ止め防止部４４との隙間Ｌ２寸法を摺動子６１の外形Ｌ３寸法（図４参照）より小さく設定してある。これによって、支持腕５０が扉３３と共に規定引出寸法より大きく引き出され、摺動子６１がストッパ４５に当接した際に、扉３３の荷重等による慣性力で摺動子６１がストッパ４５を乗り越えようとする場合でも、摺動子６１がストッパ４５と振れ止め防止部４４との隙間Ｌ２寸法により阻まれて、摺動子６１を含む支持腕５０を有した扉３３が前方へ飛び出して落下してしまうことを防止できる。
【００３４】
外れ防止リブ４２は、摺動子６１がレール摺動部４１内を前後方向に移動するときに、横方向の外力が加わった場合でも、レール摺動部４１から外れることの無いようにするものであり、レール４０と一体若しくは別体にて形成してある。
【００３５】
支持腕５０の後部には、上述したように係止具６２により固定された摺動子６１を有している。摺動子６１がレール摺動部４１内を摺動子６１が前後方向に移動することにより、支持腕５０を有する扉３３が箱体２０ａに対して前後方向に自在に開閉できる。なお、摺動子６１の形状については、特に規定するものではなく、レール摺動部４１内を前後方向に移動可能であれば、円盤状でも、棒状でも、あるいは、車輪状でも良い。
【００３６】
補強部材２０ｂは、レール摺動部４１内を移動する摺動子６１を介して負荷する荷重等により、内箱２１等が変形しないように側面壁２０ａ内に設けている。この補強部材２０ｂは、内箱２１に裏側に発泡断熱材２３に埋設するように設置されている。さらに、補強部材２０ｂは、段部７０を形成する内箱２１の裏側に延長して腕支持部４６を支持している。これにより、安価な構成で、腕支持部４６が受ける荷重を確実に受け止めることができる。
【００３７】
レール４０の係止部４３は、図４に示すように、補強部材２０ｂにレール４０を固定するものであり、レール摺動部４１の側面から側方に延びて内箱２１及び補強部材２０ｂに係合されて固定されている。
【００３８】
支持腕５０に設けられた垂直部５１は、支持腕５０に負荷される食品収納ケース２６内に貯蔵された食品等の荷重を支持できるように構成されていると共に、その後部に摺動子６１を取り付けている。
【００３９】
本実施形態によれば、支持腕５０の下面を支持する腕支持部４６をレール４０の前部に設け、箱体２０の一部を食品収納ケース側に突出して腕支持部４６の下面を支持する段部７０としているので、食品収納容量の低下を招くことなく、扉の荷重が貯蔵室を構成する側面壁で確実に受けることができると共に、扉を支持する組み込み部品相互間の組み立て誤差が少ない冷蔵庫を提供できる。
【００４０】
また、支持腕５０の荷重を支持する腕支持部４６と、支持腕５０の左右のがた付きを規制する振れ止め防止部４４と、支持腕５０の荷重を支持するレール４０とを一体に形成したので、冷蔵庫を構成する部品点数が少なくなり、その分、部品費や、その部品を組み込む作業費等が削減でき、製造コスト上有利な冷蔵庫を提供できる。
【００４１】
また、支持腕５０の荷重を支持できる腕支持部４６と、支持腕５０の左右のがた付き寸法を規制できる振れ止め防止部４４と、レール摺動部４１を有するレール４０とを一体に形成したので、別部品から成る複数の組み込み部品を用いる場合のように相互位置間の製造誤差が生じることなく、レール摺動部４１と腕支持部４６及び振れ止め防止部４４との関係寸法が設定値どおりに確保できる。従って、複数の扉間寸法を規定寸法どおりに抑えられるので、外観意匠上有利な冷蔵庫を提供できると共に、扉を引き出したときにも、その左右のがた付き寸法を小さくできるので、扉開閉操作の良好な冷蔵庫を提供できる。
【００４２】
また、振れ止め防止部４４とレール摺動部４１との間に摺動子６１が上方から入る隙間Ｌ１寸法を確保すると共に、レール摺動部４１下面に設けたストッパ４５と振れ止め防止部４４を対向させて設け、ストッパ４５と振れ止め防止部４４との隙間Ｌ２寸法を、摺動子寸法Ｌ３より小さくしたので、支持腕５０の後部に設けた摺動子６１をレール摺動部４１内に上方から容易に着脱できると共に、支持腕５０を設けた扉３３を引き出し開閉する際に、規定寸法より引き出し過ぎても、支持腕５０の後部に設けた摺動子６１がレール摺動部４１下面に設けたストッパ４５と該ストッパ４５に対向させて設けてある振れ止め防止部４４とに当接して停止するので、扉３３が冷蔵庫本体から外れて落下すると言う事故が未然に防止できる冷蔵庫を提供できる。
（第２実施形態）
次に、本発明の第２実施形態について図６を用いて説明する。図６は本発明の第２実施形態の冷蔵庫の要部断面図である。この第２実施形態は、次に述べる点で第１実施形態と相違するものであり、その他の点については第１実施形態と基本的には同一であるので、重複する説明を省略する。
この第２実施形態では、腕支持部４６をレール４０と別体に形成し、腕支持部４６を締結具７１を介してレール４９、内箱２１及び補強材２０ｂに固定している。これによって、レール４０よりさらに優れた摺動性及び耐磨耗性を有する腕支持部４６とすることが可能となり、レール４０と腕支持部４６とを一体にして摺動性及び耐磨耗性を向上する場合に比較して、安価に信頼性を向上することが可能である。なお、腕支持部４６を締結具７１を介してレール４９、内箱２１及び補強材２０ｂに固定しているので、十分な支持強度を得ることができる。
【図面の簡単な説明】
【００４３】
【図１】本発明の第１実施形態の冷蔵庫の斜視図である。
【図２】第１実施形態の冷蔵庫における引出式扉を引き出した状態の一部欠載斜視図である。
【図３】第１実施形態の冷蔵庫におけるレール前部の斜視図である。
【図４】図２におけるＢ−Ｂ断面図である。
【図５】図２におけるＣ−Ｃ線断面図である。
【図６】本発明の第２実施形態の冷蔵庫の斜視図である。
【図７】従来の冷蔵庫の要部断面図である。
【図８】従来例の冷蔵庫における引出式扉を引き出した状態の一部欠載斜視図である。
【符号の説明】
【００４４】
２０…冷蔵庫の箱体、２０a…側面壁、２０b…補強部材、２１…内箱、２２…外箱、２３…断熱材、２４、２５…仕切壁、２６…食品収納ケース、２６ａ…側壁部、２６ｂ…フランジ部、３１…冷蔵室扉、３２…製氷室扉、３３…急冷凍室扉、３４…冷凍室扉、３５…野菜室扉、４０…レール、４１…レール摺動部、４２…外れ防止リブ、４３…係止部、４４…振れ止め防止部、４４a…寸法規制面、４５…ストッパ、４６…腕支持部、４６a…支持部の摺動面、５０…支持腕、５１…垂直部、５３…下面フランジ部、６１…摺動子、６２…係止具。
【図１】
2007071498.tif 000003
【図２】
2007071498.tif 000004
【図３】
2007071498.tif 000005
【図４】
2007071498.tif 000006
【図５】
2007071498.tif 000007
【図６】
2007071498.tif 000008
【図７】
2007071498.tif 000009
【図８】
2007071498.tif 000010